(57)【特許請求の範囲】
【請求項１】
底部と底部にヒンジ部材を介して連結された４つの側壁を有するとともに、底部に側壁を重ねるようにして折り畳むことが可能な折り畳みコンテナーにおいて、底部の４つの角部には、底部の土手部を越えて上方に延在する平面形状が略Ｌ字状の角部載置ブロックを形成し、また、箱型に組み立てられた状態から、最初に倒される側壁に沿って延在する前記角部載置ブロック部分を長く形成するとともに、前記最初に倒される側壁に沿って延在する前記角部載置ブロック部分の外側には、前記最初に倒される側壁に沿って延在する前記角部載置ブロック部分の厚さを薄くすることにより段部を形成し、更に、後から倒される側壁の周辺リブを構成する下部水平部には、前記最初に倒される側壁に沿って延在する前記角部載置ブロック部分の厚さの薄くなった部分が挿入される、下方が解放された凹部が形成されていることを特徴とする折り畳みコンテナー。
【発明の詳細な説明】
【０００１】
【発明の属する技術分野】
本発明は、底部を囲むように配設された側壁が、底部に重なるように折り畳むことが可能な折り畳みコンテナーに関するものである。
【０００２】
【従来の技術】
従来，平面形状が略長方形に形成された底部の相対する長辺部に、ヒンジ部材を介して連結された長側壁と、同じく上記底部の相対する短辺部に、ヒンジ部材を介して連結された短側壁とからなり、底部に対して略垂直に長側壁と短辺部を立てることにより、箱型に組み立てられ、また、折り畳む際には、底部の上に重なるように、長側壁及び短側壁を折り畳むようにした折り畳みコンテナーが知られており、箱型に組み立てられ状態においては、長側壁或いは短側壁が、底部方向に倒れないように、互いに、ロック機構により、ロックされるように構成されており、ロック機構は、長側壁或いは短側壁に形成された、先端に凸条突起が形成された弾性を有する板状体を有し、箱型に組み立てられた状態において、板状体が形成されていない一方の側壁の内壁面に、板状体に形成された凸条突起を当接することにより、側壁が、底部方向に倒れないように構成されている。
【０００３】
【発明が解決しようとする課題】
折り畳まれた状態の折り畳みコンテナーの上に、折り畳みが不可能な、所謂、ボックス容器を段積みすることが行われるが、段積み作業の際に、上に位置するボックス容器の底部裏面に形成されている、角部に大きなアールを有する嵌合土手部が、下に位置する折り畳まれた状態の折り畳みコンテナーの底部に対して移動し易く、従って、安定した状態で段積みすることができないという問題があった。
【０００４】
本発明の目的は、上述した従来の折り畳みコンテナーが有する課題を解決することにある。
【０００５】
【課題を解決するための手段】
本発明は、上述した目的を達成するために、底部と底部にヒンジ部材を介して連結された４つの側壁を有するとともに、底部に側壁を重ねるようにして折り畳むことが可能な折り畳みコンテナーにおいて、底部の４つの角部には、底部の土手部を越えて上方に延在する平面形状が略Ｌ字状の角部載置ブロックを形成し、また、箱型に組み立てられた状態から、最初に倒される側壁に沿って延在する前記角部載置ブロック部分を長く形成するとともに、前記最初に倒される側壁に沿って延在する前記角部載置ブロック部分の外側には、前記最初に倒される側壁に沿って延在する前記角部載置ブロック部分の厚さを薄くすることにより段部を形成し、更に、後から倒される側壁の周辺リブを構成する下部水平部には、前記最初に倒される側壁に沿って延在する前記角部載置ブロック部分の厚さの薄くなった部分が挿入される、下方が解放された凹部を形成したものである。
【０００６】
【実施例】
以下に、本発明の実施例について説明するが、本発明の趣旨を越えない限り何ら、本実施例に限定されるものでない。
【０００７】
本発明の全体構成は、底部１と、底部１にヒンジ連結された相対する長側壁２と、同じく、底部１にヒンジ連結された相対する短側壁３とから構成されており、図１に示されている箱型に組み立てられた状態から、先ず最初に、短側壁３を、図２に示されているように、底部１に重なるように倒し、次いで、長側壁２を、底部１に重ねられた短側壁３に重なるように倒すことにより、図３に示されているように、折り畳みコンテナーをコンパクトに折り畳むことができるように構成されている。また、図３に示されている状態から、長側壁２を、略垂直に立て、次いで、短側壁３を略垂直に立てることにより、図１に示されているように、折り畳まれていた折り畳みコンテナーを、箱型に組み立てることができる。
【０００８】
次に、主として、図４及び図５を用いて、底部１について説明する。
【０００９】
底部１は、平面形状が略長方形に形成されており、底部１の相対する長辺側には、長手方向に対して垂直な断面形状が略逆Ｕ字状の長辺側土手部１ａが形成されている。長辺側土手部１ａの外側上面には、長辺側土手部１ａの外側面と面一な、上方に延在する外壁（以下、長辺側外壁という。）１ｂが形成されており、また、長辺側土手部１ａの内側上面には、長辺側ヒンジ雌部Ｈ１を構成する板状部ｈ１が上方に延在するとともに、板状部ｈ１の上部には、その先端が長辺側外壁１ｂ方向に湾曲したフックｈ２が形成されている。長辺側土手部１ａには、長辺側ヒンジ雌部Ｈ１が、所定の間隔で適当数、形成されている。なお、本実施例には、７個の長辺側ヒンジ雌部Ｈ１が形成されている例が示されている。そして、長辺側ヒンジ雌部Ｈ１は、長辺側外壁１ｂと略同じ高さに形成されている。
【００１０】
底部１の相対する短辺側には、長辺側土手部１ａに形成された長辺側外壁１ｂより、高さの低い外壁（以下、短辺側外壁という。）１ｃが形成されており、短辺側外壁１ｃには、所定の間隔を置いて、外側及び上方が開口された一対の嵌合凹部１ｃ１が形成されている。また、短辺側外壁１ｃに沿って、且つ、短辺側外壁１ｃに接近して、底部１には、板状部ｈ１と、短辺側外壁１ｃ方向に湾曲したフックｈ２とからなる、上述した長辺側ヒンジ雌部Ｈ１と同様の短辺側ヒンジ雌部Ｈ２が形成されている。なお、本実施例には、短辺側ヒンジ雌部Ｈ２が、３個、配設されている例が示されている。そして、短辺側ヒンジ雌部Ｈ２は、短辺側外壁１ｃの高さと略同じ高さに形成されている。
【００１１】
底部１の４つの角部には、長辺側外壁１ｂを越えて上方に延在する、平面形状が略Ｌ字状の角部載置ブロック１ｄが形成されている。角部載置ブロック１ｄは、長辺側土手部１ａと略同じ幅で、長辺側土手部１ａ方向に延在する長辺側部分１ｄ１と、短辺側外壁１ｃより内側で、且つ、短辺側外壁１ｃに沿って延在する短辺側部分１ｄ２とを有しており、短辺側部分１ｄ２の外側には、段部１ｄ３が形成されている。
【００１２】
１ｅは、長辺側土手部１ａの上面と長辺側外壁１ｂの内壁面とにより形成される隅部に、所定の間隔を置いて適当数形成された長辺側載置ブロックであり、長辺側載置ブロック１ｅは、上述した角部載置ブロック１ｄと同じ高さを有している。本実施例においては、角部載置ブロック１ｄと角部載置ブロック１ｄに隣接する長辺側ヒンジ雌部Ｈ１との間、及び、隣接する長辺側ヒンジ雌部Ｈ１間に形成されており、合計で、６個の長辺側載置ブロック１ｅが形成されている。１ｆは、長辺側土手部１ａの上面と長辺側外壁１ｂの内壁面とにより形成される隅部の適当な箇所に形成された板状の補強リブであり、補強リブ１ｆは、長辺側外壁１ｂを越えて上方に延在しないように形成されている。なお、角部載置ブロック１ｄ及び長辺側載置ブロック１ｅは、外側に開口を有し、内部が空洞に形成されていることが、底部１、ひいては、折り畳みコンテナーの重量の低減化の観点から好ましく、角部載置ブロック１ｄのように、必要に応じて、縦横にリブ１ｄ４を形成することもできる。１ｇは、略逆Ｕ字状の長辺側土手部１ａ内に形成された補強用仕切りリブである。
【００１３】
１ｈは、底部１の裏面から下方に筒状に膨出した略正方形状の嵌合土手部である。底部１の裏面に、相対する長辺側土手部１ａに沿って、適当数の長辺方向帯状凹部（本実施例には、相対する長辺側土手部１ａの中央部に１本の長辺方向帯状凹部が示されている。）１ｉ１及び相対する短辺側外壁１ｃ間に、等間隔で短辺方向帯状凹部（本実施例には、３本の短辺方向帯状凹部が示されている。）１ｉ２を形成することにより、上記の嵌合土手部１ｈが形成されており、本実施例には、一例として、８個の嵌合土手部１ｈが示されている。なお、短辺側外壁１ｃと、短辺側外壁１ｃに接近して形成された嵌合土手部１ｈとの間には、底部１の裏面を形成する短辺側縁部１ｊが形成されている。なお、底部１の裏面には、縦横に延在するリブ１ｋが形成されており、また、嵌合土手部１ｈは、周状リブ１ｈ１と、周状リブ１ｈ１内において、縦横に延在する交叉リブ１ｈ２とにより形成されている。
【００１４】
次に、図６、図７及び図１４を用いて、長側壁２について説明する。
【００１５】
長側壁２は、横長の略長方形状の板状部２ａを有しており、板状部２ａには、板状部２ａの上下端辺及び左右端辺に沿って、板状部２ａの面に対して垂直に延在する周辺リブ２ｂが延設されている。周辺リブ２ｂにより囲まれた板状部２ａには、適宜、垂直方向及び水平方向に延在する補強リブ２ｃが、適当本数、形成されている。周辺リブ２ｂや補強リブ２ｃが形成されている側が、箱型に組み立てられた際の折り畳みコンテナーの外側に位置し、長側壁３の外壁面を形成するとともに、このような周辺リブ２ｂや補強リブ２ｃが形成されていない、平坦な側が、箱型に組み立てられた際の折り畳みコンテナーの内側に位置し、長側壁２の内壁面を形成することになる。
【００１６】
長側壁２の両垂直端には、板状部２ａに略垂直に、且つ、長側壁２の内壁面方向に延在する、縦長の係合枠２ｄが形成されており。係合枠２ｄには、上下方向に所定の間隔を置いて、板状部２ａに略平行な嵌合孔２ｅ１、２ｅ２、２ｅ３が、３個、形成されている。嵌合孔２ｅ１、２ｅ２、２ｅ３のうち、中央に位置する嵌合孔２ｅ２の周囲には、板状部２ａと共働して、嵌合孔２ｅ２を囲むように、且つ、板状部２ａに連結された略コの字状の補強土手部２ｅ４が形成されており、このような、補強土手部２ｅ４を形成することにより、係合枠２ｄのひねり強度及び剛性を高めることができる。
【００１７】
長側壁２の板状部２ａの上部両端角部付近には、それぞれ、コの字状のスリット２ｆが形成されており、コの字状のスリット２ｆを形成することにより、スリット２ｆで囲まれた部分が、片持ち状の係止弾性片２ｇに形成されている。係止弾性片２ｇの内壁面側の先端には、係止突部２ｇ１が突設されており、係止突部２ｇ１の係合枠２ｄ側の垂直面は、好ましくは、係合枠２ｄの内壁面側の面２ｄ１と略平行な垂直面２ｇ２に形成されているとともに、係止突部２ｇ１には、垂直面２ｇ２から内壁面に向かって傾斜面２ｇ３が形成されている。また、係止弾性片２ｇの係止突部２ｇ１は、その先端が、内壁面から、所定量、突出するように形成されており、本実施例においては、係止弾性片２ｇは、係合枠２ｄに形成された上方に位置する嵌合孔２ｅ１と中央に位置する嵌合孔２ｅ２との間に位置するように構成されている。
【００１８】
２ｈは、長側壁２の周辺リブ２ｂを構成する下部水平部２ｂ１の裏面に、所定の間隔を置いて形成された、横長の下部ブロックであり、下部ブロック２ｈ間には、上述した底部１に形成された長辺側載置ブロック１ｅが挿入可能な凹部２ｉが形成されている。本実施例には、７個の下部ブロック２ｈが示されており、また、６個の長辺側載置ブロック１ｅに対応して、６個の凹部２ｉが形成されている。各下部ブロック２ｈの水平枠２ｈ１の下面には、所定の間隔を置いて、下端が半円形状の一対の支持片ｈ３が垂設されており、また、支持片ｈ３間には、水平ピンｈ４が架橋されており、一対の支持片ｈ３と水平ピンｈ４とにより、上述した底部１の長辺側ヒンジ雌部Ｈ１に対応した長側壁側ヒンジ雄部Ｈ３が形成されている。なお、下部ブロック２ｈの水平枠２ｈ１の下面の長側壁側ヒンジ雄部Ｈ３が形成されていない部分には、支持片ｈ３と同様の補強片２ｊが垂設されており、また、隣り合う補強片２ｊと支持片ｈ３或いは隣り合う補強片２ｊと支持片ｈ３とは、連結板２ｋにより連結されている。
【００１９】
２ｍは、長側壁２の周辺リブ２ｂを構成する下部水平部２ｂ１の両端部付近に形成された、下方が解放された凹部であり、折り畳みコンテナーを箱型に組み立てた際に、上述した底部１に形成された角部載置ブロック１ｄの短辺側部分１ｄ２が挿入されるように構成されている。また、長側壁２の周辺リブ２ｂを構成する下部水平部２ｂ１と両側に位置する下部ブロック２ｈとにより、角部切り欠き部２ｎが形成されており、この角部切り欠き部２ｎには、折り畳みコンテナーを箱型に組み立てた際に、上述した底部１に形成された角部載置ブロック１ｄの長辺側部分１ｄ１が挿入されるように構成されている。
【００２０】
次に、図８〜図１２及び図１４を用いて、短側壁３について説明する。
【００２１】
短側壁３は、横長の略長方形状の板状部３ａを有しており、板状部３ａには、板状部３ａの上下端辺及び左右端辺に沿って、板状部３ａの面に対して垂直に延在する周辺リブ３ｂが延設されている。周辺リブ３ｂを形成する略垂直な側部３ｂ１の外側には、板状部３ａを延長することにより形成された縦長の板部３ｃ１を有する張出枠３ｃが形成されている。張出枠３ｃの下面と周辺リブ３ｂを形成する略垂直な側部３ｂ１とにより、張出枠３ｃの下部には、角部切り欠き部３ｄが形成されており、この角部切り欠き部３ｄには、折り畳みコンテナーを箱型に組み立てた際に、上述した底部１に形成された角部載置ブロック１ｄの短辺側部分１ｄ２が挿入されるように構成されている。
【００２２】
張出枠３ｃを形成する板部３ｃ１の垂直縁には、板部３ｃ１に垂直で、且つ、外側方向に延在する端部垂直リブ３ｃ２が形成されており、板部３ｃ１及び端部垂直リブ３ｃ２には、端部垂直リブ３ｃ２の先端を越えて延在するとともに、その先端の高さが同じである嵌合突部３ｅ１、３ｅ２、３ｅ３が形成されており、嵌合突部３ｅ１、３ｅ２、３ｅ３は、上述した長側壁２の係合枠２ｄに形成された嵌合孔２ｅ１、２ｅ２、２ｅ３に挿入されるように構成されている。中央に位置する嵌合突部３ｅ２の上下部分には、凹部３ｆが形成されており、中央に位置する嵌合突部３ｅ２は、上下に位置する嵌合突部３ｅ１、３ｅ３に比べて、その長さが長く形成されており、そして、上記の凹部３ｆには、折り畳みコンテナーを箱型に組みたてた際に、長側壁２の係合枠２ｄの中央に位置する嵌合孔２ｅ２の周囲に形成された補強土手部２ｅ４が挿入されるように構成されている。
【００２３】
短側壁３の板状部３ａの上部の両角部付近で、外側、即ち、折り畳みコンテナーを箱型に組み立てた際に、外側に位置する部分には、後述するロック解除部材が配設可能なロック解除部材収納領域３ｇが形成されている。ロック解除部材収納領域３ｇは、周辺リブ３ｂを形成する略垂直な側部３ｂ１に平行な垂直リブ３ｇ１と、垂直リブ３ｇ１から、側部３ｂ１方向に、所定の間隔を置いて水平方向に延在する上部水平リブ３ｇ２’と下部水平リブ３ｇ２”と、上部水平リブ３ｇ２’の先端から上方に垂直に延在し、周辺リブ３ｂを形成する上部水平部３ｂ２に連結された上部垂直リブ３ｇ３’と、下部水平リブ３ｇ２”の先端から下方に垂直に延在する下部垂直リブ３ｇ３”と、下部垂直リブ３ｇ３”の下端から側部３ｂ１方向に延在し、側部３ｂ１に連結された水平リブ３ｇ４と、側部３ｂ１側に位置する上部水平部３ｂ２から下方に延在する上部垂直分枝リブ３ｇ５’と、水平リブ３ｇ４の途中から上部水平部３ｂ２方向に延在する下部垂直分枝リブ３ｇ５”と、上部垂直分枝リブ３ｇ５’の先端から側部３ｂ１方向に向かって下方に傾斜した上部傾斜リブ３ｇ６’と、下部垂直分枝リブ３ｇ５”の先端から側部３ｂ１方向に向かって上方に傾斜した下部傾斜リブ３ｇ６”とから構成されている。また、上部傾斜リブ３ｇ６’と下部傾斜リブ３ｇ６”との間に位置する側部３ｂ１の板状部３ａ側には、スリット３ｈが形成されている。更に、上部水平リブ３ｇ２’の下面には、板状部３ａに接近して、上部係止突起３ｉ１が突設されており、同様に、下部水平リブ３ｇ２”の上面には、上部係止突起３ｉ１に対応して、下部係止突起３ｉ２が突設されている。
【００２４】
４は、ロック解除部材であり、ロック解除部材４は、上下に、互いに平行なレール部４ａ１が形成された略方形状の基部４ａを有しており、基部４ａの中央部には、作業者が、指を挿入可能な引っ掛け凹部４ａ２が形成されている。基部４ａの相対する垂直土手部の一方の土手部４ａ３は、三角形状に形成されており、三角形状の土手部４ａ３の先端部からは、基部４ａの奥板４ａ４を延長することにより形成された横長の略長方形板状の押圧部４ｂが延在している。また、三角形状の土手部４ａ３の先端部からは、押圧部４ｂに連結された支持リブ４ｃが延設されており、更に、支持リブ４ｃの先端部には、上下方向に、且つ、三角形状の土手部４ａ３方向に傾斜した一対の弾性条片４ｄ１からなる矢印状の弾性翼部４ｄが形成されている。４ｅは、土手部４ａ３に形成された垂直突条であり、このような垂直突条４ｅを形成したことにより、ロック解除部材４が、視覚的に確認し易くなるとともに、目視によらず、手の触感で、ロック解除部材４の操作が可能となり、従って、ロック解除部材４の操作性が向上する。なお、基部４ａに奥板４ａ４を形成することなく、引っ掛け凹部４ａ２を、基部４ａに形成された窓部として構成することもできる。
【００２５】
上述したロック解除部材４は、ロック解除部材４のレール部４ａ１を、短側壁３の板状部３ａと上部係止突起３ｉ１及び下部係止突起３ｉ２との間隙に挿入するとともに、ロック解除部材４の押圧部４ｂを、短側壁３のロック解除部材収納領域３ｇを形成する上部傾斜リブ３ｇ６’と下部傾斜リブ３ｇ６”と間に位置する側部３ｂ１の板状部３ａ側に形成されたスリット３ｈに挿入し、更には、ロック解除部材４の一対の弾性条片４ｄ１を、上部垂直リブ３ｇ３’と周辺リブ３ｂを形成する上部水平部３ｂ２と上部垂直分枝リブ３ｇ５’とにより形成される上部凹部３ｍ１及び下部垂直リブ３ｇ３”と水平リブ３ｇ４と下部垂直分枝リブ３ｇ５”とにより形成される下部凹部３ｍ２に、それぞれ、挿入することにより、短側壁３に配設されるように構成されている。ロック解除部材４に外力が作用していない状態においては、上部凹部３ｍ１及び下部凹部３ｍ２に挿入された一対の弾性条片３ｄ１の弾性力により、短側壁３のロック解除部材収納領域３ｇに形成されたスリット３ｈに挿入されているロック解除部材４の押圧部４ｂは、短側壁３の張出枠３ｃの端部垂直リブ３ｃ２を越えて、外側に延在しないように構成されている。
【００２６】
周辺リブ３ｂを形成する下部水平部３ｂ３の下面には、上述した長側壁側ヒンジ雄部Ｈ３を構成する支持片ｈ３と同様の一対の支持片ｈ３が垂設されており、また、支持片ｈ３間には、同様の水平ピンｈ４が架橋されており、一対の支持片ｈ３と水平ピンｈ４とにより、上述した底部１の短辺側ヒンジ雌部Ｈ２に対応した短側壁側ヒンジ雄部Ｈ４が形成されている。また、短側壁側ヒンジ雄部Ｈ４を構成する支持片ｈ３に隣接して、上述した長側壁２に形成された補強片と同様の補強片３ｊが垂設されており、そして、隣り合う補強片３ｊと支持片ｈ３とは、上述した長側壁２に形成された連結板２ｋと同様の連結板３ｋにより連結されている。なお、短側壁３の板状部３ａには、必要に応じて、補強用の縦リブ３ｎや横リブ３ｐが、適宜、形成されている。３ｑは、周辺リブ３ｂを形成する上部水平部３ｂ２の直ぐ下方に位置する横リブ３ｐの下面から、斜め前方に配設された持ち手用リブであり、横リブ３ｐと板状部３ａと持ち手用リブ３ｑとにより、作業者の指や適当な引っ掛け具が挿入可能な間隙３ｒが形成されている。この間隙３ｒに指を挿入することにより、箱型に組みたてられた折り畳みコンテナーを持ち運んだり、或いは、この間隙３ｒに、適当な引っ掛け具が挿入することにより、箱型に組みたてられた折り畳みコンテナーを引きずりながら移動し、搬送することができるように構成されている。なお、３ｓは、下部水平部３ｂ３の下面に垂設された補強片３ｊ間に位置する一対の間隙であり、この間隙３ｓには、底部１の短辺側外壁１ｃに形成された一対の嵌合凹部１ｃ１を構成する膨出部１ｃ１’が挿入されるように構成されている。
【００２７】
上述した構成を有する底部１、長側壁２、短側壁３及びロック解除部材４は、は、射出成形等により、合成樹脂で、それぞれ、一体に成形することが好ましい。
【００２８】
次に、底部１、長側壁２及び短側壁３を、折り畳みコンテナーに組み立てる作業について説明する。
【００２９】
底部１に、長側壁２をヒンジ連結するには、底部１の長辺側土手部１ａに沿って形成された長辺側ヒンジ雌部Ｈ１のフックｈ２と長辺側外壁１ｂとの間隙に、長側壁２の長側壁側ヒンジ雄部Ｈ３の水平ピンｈ４を嵌入するとともに、水平ピンｈ４を、上記底部１の長辺側ヒンジ雌部Ｈ１のフックｈ２に引っ掛けることにより、底部１と長側壁２をヒンジ連結する。この際、上述したように、長側壁２の周辺リブ２ｂを構成する下部水平部２ｂ１の裏面に配設された下部ブロック２ｈ間に形成されている凹部２ｉには、底部１に形成された長辺側載置ブロック１ｅが挿入されるように構成されている。
【００３０】
また、底部１に、短側壁３を連結するには、底部１の短辺側外壁１ｃに沿って形成された短辺側ヒンジ雌部Ｈ２のフックｈ２と短辺側外壁１ｃとの間隙に、短側壁３の短側壁側ヒンジ雄部Ｈ４の水平ピンｈ４を嵌入するとともに、水平ピンｈ４を、上記底部１の短辺側ヒンジ雌部Ｈ２のフックｈ２に引っ掛けることにより、底部１と短側壁３をヒンジ連結する。
【００３１】
上述ようにして、底部１と長側壁２とがヒンジ連結されるとともに、底部１と短側壁３とがヒンジ連結されて、折り畳みコンテナーが組み立てられることになる。
【００３２】
図３に示されているように折り畳まれた状態から、図１に示されているように、箱型に折り畳みコンテナーを組み立てるには、先ず最初に、図２に示されているように、長側壁２を略垂直に立てる。次いで、底部１に重なるようにして折り畳まれている短側壁３を、略水平状態から垂直方向に回動させると、短側壁３の張出枠３ｃが、長側壁２に形成された係合枠２ｄに対向するように接近し、更に、短側壁３を、垂直方向に回動させると、短側壁３の張出枠３ｃの端部垂直リブ３ｃ２が、長側壁２の内壁面から突出している係止弾性片２ｇの係止突部２ｇ１を押して、係止弾性片２ｇを、外側面方向に、係止弾性片２ｇの弾性に抗して、回動させる。更に、短側壁３を、垂直方向に回動させると、短側壁３の張出部３ｃに突設された嵌合突部３ｅ１、３ｅ２、３ｅ３が、長側壁２の係合枠２ｄに形成された嵌合孔２ｅ１、２ｅ２、２ｅ３に挿入される。この短側壁３の張出枠３ｃに突設された嵌合突部３ｅ１、３ｅ２、３ｅ３が、長側壁２の係合枠２ｄに形成された嵌合孔２ｅ１、２ｅ２、２ｅ３に挿入される過程において、短側壁３の張出部３ｃの端部垂直リブ３ｃ２から、長側壁２に形成された係止弾性片２ｇの係止突部２ｇ１が外れて、係止弾性片２ｇが、その弾性により、図１４に示されているような、元の位置に戻り、係止弾性片２ｇの垂直面２ｇ２が、短側壁３の張出部３ｃの板部３ｃ１に当接し、従って、短側壁３が、底部１方向に回動しようとしても、短側壁３の張出部３ｃが、長側壁２に形成された係止弾性片２ｇの係止突部２ｇ１に当接し、底部１方向への回動が阻止されることになり、短側壁３に外側から負荷が掛かっても、底部１方向に倒れるようなことがない。同様にして、もう一方の短側壁３を、略水平状態から垂直方向に回動させて、折り畳みコンテナーを箱型に組み立てる。
【００３３】
箱型に組み立てられた折り畳みコンテナーを折り畳む際には、短側壁３に配設されたロック解除部材４の基部４ａに形成された引っ掛け凹部４ａ２に指を引っ掛けて、ロック解除部材４を、上部凹部３ｍ１及び下部凹部３ｍ２に挿入された一対の弾性条片３ｄ１の弾性力に抗して、長側壁２方向に移動させると、長側壁２の板状部２ａの上部両端角部付近に形成されている係止弾性片２ｇの係止突部２ｇ１と対峙した位置にあるロック解除部材収納領域３ｇの押圧部４ｂの先端部が、短側壁３の張出枠３ｃの端部垂直リブ３ｃ２を越えて外側に突出し、図１５に示されているように、長側壁２に形成された係止弾性片２ｇの係止突部２ｇ１を、係止突部２ｇ１が、短側壁３の張出枠３ｃから外れる方向、即ち、外側方向に押して、長側壁２の係止弾性片２ｇを、その弾性に抗して湾曲させる。長側壁２に形成された長側壁２の係止弾性片２ｇの係止突部２ｇ１が、短側壁３の張出枠３ｃから外れた時点で、図１６に示されているように、短側壁３を、底部１方向に回動させて、一対の相対する短側壁３を、底部１上に重ねる。次いで、一対の相対する長側壁２を、底部１上に重ねられた一対の相対する短側壁３の上に重ねることにより、箱型に組み立てられた折り畳みコンテナーを折り畳むことができる。
【００３４】
上述したように、箱型に組み立てられた折り畳みコンテナーを折り畳む際には、折り畳みコンテナーの内部に、手を入れて、長側壁２の係止弾性片２ｇを外側に湾曲させることなく、折り畳みコンテナーの外側から、短側壁３に配設されたロック解除部材４を作動させることにより、長側壁２の係止弾性片２ｇと短側壁３の張出枠３ｃとのロック状態を解除することができるので、ロック機構のロック解除作業の作業性が向上することになる。
【００３５】
また、長側壁２の係合枠２ｄに形成された嵌合孔２ｅ１、２ｅ２、２ｅ３の中央に位置する嵌合孔２ｅ２の周囲には、補強土手部２ｅ４が形成されており、係合枠２ｄのひねり強度及び剛性が高められているので、従来のように、係合枠２ｄに加えられた外力により、係合枠２ｄやその付近が変形したり、損傷するようなことが防止できるとともに、係合枠２ｄやその付近の変形や損傷により、長側壁２の係止弾性片２ｇと短側壁３の張出枠３ｃとのロック状態が解除されるようなことも防止できる。
【００３６】
また、図２に示されているように、短側壁３が、底部１に重なった状態から、長側壁２を、底部１方向に回動させ、底部１に重ねられた短側壁３の上に重ねる際には、長側壁２の係合枠２ｄに形成された中央に位置する嵌合孔２ｅ２の周囲に形成された補強土手部２ｅ４は、底部１の短辺側外壁１ｃに形成された嵌合凹部１ｃ１に挿入されるように構成されており、長側壁２の係合枠２ｄに形成された補強土手部２ｅ４が、折り畳みコンテナーのコンパクトな折り畳みの邪魔にならないように構成されている。
【００３７】
図１７に示されているように、折り畳まれた状態の折り畳みコンテナーＨの上に、折り畳みが不可能な、所謂、ボックス容器Ｂを段積みすることが行われるが、この際には、ボックス容器Ｂの底部ｂ１の裏面が、折り畳みコンテナーＨの底部１に適当数形成された長辺側載置ブロック１ｅ及び角部載置ブロック１ｄに載置されるとともに、ボックス容器Ｂの底部ｂ１の裏面に形成された、上述した折り畳みコンテナーの底部１の裏面に形成された嵌合土手部１ｈと同様の嵌合土手部ｂ２が、折り畳みコンテナーＨの底部１に形成された長辺側載置ブロック１ｅ及び角部載置ブロック１ｄの内側に位置するように構成されている。このように構成されているので、ボックス容器Ｂが、折り畳みコンテナーＨの底部１の短辺側外壁１ｃに沿った方向に移動しようとしても、ボックス容器Ｂの嵌合土手部ｂ２が、長辺側載置ブロック１ｅ及び角部載置ブロック１ｄの長辺側部分１ｄ１に当接し、その移動が阻止され、また、ボックス容器Ｂが、折り畳みコンテナーＨの底部１の長辺側土手部１ａに沿った方向に移動しようとしても、ボックス容器Ｂの嵌合土手部ｂ２が、角部載置ブロック１ｄの短辺側部分１ｄ２に当接し、その移動が阻止され、従って、折り畳みコンテナーＨの上に、安定した状態で、ボックス容器Ｂを段積みすることができる。
【００３８】
なお、底部１に形成された長辺側載置ブロック１ｅの数や間隔は、折り畳まれた状態の折り畳みコンテナーの上に段積みされる折り畳みコンテナーやボックス容器の大きさにより異なるが、実施例に示されているように、角部載置ブロック１ｄの間に、６個の長辺側載置ブロック１ｅが形成されている場合には、折り畳みコンテナーの底部１の長辺側土手部１ａ方向に４個の小さな折り畳みコンテナーやボックス容器を、水平方向に移動することなく、安定した状態で段積みすることができる。
【００３９】
ところで、ボックス容器Ｂの底部１の裏面に形成された嵌合土手部ｂ２の角部アールｂ３は、折り畳みコンテナーＨの底部１の裏面に形成された嵌合土手部１ｈの角部アールに比べて大きく、しかも、折り畳みコンテナーＨの底部１の短辺側外壁１ｃには、長辺側載置ブロック１ｅのような載置ブロックが形成されておらず、段積みされたボックス容器Ｂの移動を阻止するのは、角部載置ブロック１ｄの短辺側部分１ｄ２だけであるので、ボックス容器Ｂに、折り畳みコンテナーＨの底部１の長辺側土手部１ａに沿った方向に外力が作用した際には、ボックス容器Ｂの嵌合土手部ｂ２が、角部載置ブロック１ｄの短辺側部分１ｄ２から外れてしまい、移動する可能性がある。この可能性を解消するために、本実施例においては、角部載置ブロック１ｄの短辺側部分１ｄ２の長さが長く構成されている。このように、角部載置ブロック１ｄの短辺側部分１ｄ２の長さを、ただ単に長くした場合には、長側壁２の周辺リブ２ｂを構成する下部水平部２ｂ１と両側に位置する下部ブロック２ｈとにより形成された角部切り欠き部２ｎの高さを高くしなければならない。角部切り欠き部２ｎの高さを高くしないと、略垂直状態の長側壁２を、底部１方向に倒す際に、長側壁２の周辺リブ２ｂを構成する下部水平部２ｂ１が、長くなった角部載置ブロック１ｄの短辺側部分１ｄ２に当接してしまい、長側壁２を、底部１方向に回動することができなくなる。しかしながら、長側壁２に形成された角部切り欠き部２ｎの高さを高くすると、長側壁２の両側部付近の高さが低くなり、長側壁２の強度が低下することになる。
【００４０】
上述した問題を解決するために、上述したように、本実施例においては、底部１に配設された角部載置ブロック１ｄの短辺側部分１ｄ２の外側に、段部１ｄ３を形成することにより、短辺側部分１ｄ２の厚さｗ１を薄くするとともに、長側壁２の周辺リブ２ｂを構成する下部水平部２ｂ１には、下方が解放された凹部２ｍを形成し、折り畳みコンテナーの組み立て作業の際には、この凹部２ｍに、角部載置ブロック１ｄの短辺側部分１ｄ２が挿入されるように構成されている。従って、長側壁２に形成された角部切り欠き部２ｎの高さを、全体的に高くする場合に比べ、このように、角部載置ブロック１ｄの短辺側部分１ｄ２が挿入可能な凹部２ｍを形成しただけであるので、長側壁２の強度が大きく低下するようなことがなく、また、折り畳みコンテナーが折り畳まれた状態においては、底部１の角部載置ブロック１ｄの短辺側部分１ｄ２が、長側壁２に形成された凹部２ｍに挿入されているので、長側壁２の長手方向、即ち、水平方向のガタツキが抑制されることになる。
【００４１】
また、折り畳みコンテナーを箱型に組み立てた際には、底部１の角部載置ブロック１ｄの上面が、長側壁２に形成された角部切り欠き部２ｎを形成する周辺リブ２ｂの下部水平部２ｂ１に接近し、或いは、当接するように構成されているので、長側壁２に上方から負荷が掛かっても、長側壁２の下部水平部２ｂ１が、底部１に形成された上記の段部１ｄ３の上面に支えられるので、長側壁２が座屈現象を起こして、損傷するようなことが防止できる。
【００４２】
【発明の効果】
本発明は、以上説明した構成を有しているので、以下に記載する効果を奏するものである。
【００４３】
底部の４つの角部には、平面形状が略Ｌ字状の角部載置ブロックを形成するとともに、箱型に組み立てられた状態から、最初に倒される側壁に沿って延在する前記角部載置ブロック部分を長く形成し、且つ、前記最初に倒される側壁に沿って延在する前記角部載置ブロック部分の外側には、段部を形成したので、折り畳まれた状態の折り畳みコンテナーの上に段積みされたボックス容器に、折り畳みコンテナーの底部の後から倒される側壁に沿った方向の外力が作用しても、ボックス容器が、角部載置ブロックから外れて移動するようなことが防止できる。
【００４４】
後から倒される側壁の周辺リブを構成する下部水平部には、下方が解放された凹部を形成し、折り畳みコンテナーが折り畳まれた際には、前記凹部に、角部載置ブロックの最初に倒される側壁に沿って延在する部分が挿入されるように構成されているので、後から倒される側壁の強度が大きく低下するようなことがなく、また、最初に倒される側壁に沿って延在する前記角部載置ブロック部分が、後から倒される側壁に形成された凹部に挿入されているので、後から倒される側壁の長手方向、即ち、水平方向のガタツキが抑制される。
【図面の簡単な説明】
【図１】図１は本発明の折り畳みコンテナーが箱型に組み立てられた状態の斜視図である。
【図２】図２は本発明の折り畳みコンテナーの組み立て途中の斜視図である。
【図３】図３は本発明の折り畳みコンテナーの折り畳まれた状態の斜視図である。
【図４】図４は本発明の折り畳みコンテナーの底部の斜視図である。
【図５】図５は本発明の折り畳みコンテナーの底部の裏面斜視図である。
【図６】図６は本発明の折り畳みコンテナーの長側壁の外壁面側から見た斜視図である。
【図７】図７は本発明の折り畳みコンテナーの長側壁の内壁面側から見た斜視図である。
【図８】図８は本発明の折り畳みコンテナーの短側壁の外壁面側から見た斜視図である。
【図９】図９は本発明の折り畳みコンテナーの短側壁の内壁面側から見た斜視図である。
【図１０】図１０は本発明の折り畳みコンテナーの短側壁の外壁面側から見た部分分解斜視図である。
【図１１】図１１は本発明の折り畳みコンテナーの短側壁の外壁面側から見た部分正面図である。
【図１２】図１２は本発明の折り畳みコンテナーの短側壁の外壁面側から見た部分斜視図である。
【図１３】図１３は本発明の折り畳みコンテナーの短側壁が垂直方向へ回動途中の折り畳みコンテナーの部分斜視図である。
【図１４】図１４は本発明の折り畳みコンテナーが箱型に組み立てれた状態の角部付近の部分水平断面図である。
【図１５】図１５は本発明の折り畳みコンテナーの短側壁が底部方向に回動される過程を説明するための図１４と同様の部分水平断面図である。
【図１６】図１６は本発明の折り畳みコンテナーの短側壁が底部方向に回動される過程を説明するための図１５に続く状態の部分水平断面図である。
【図１７】図１７は本発明の折り畳まれた状態の折り畳みコンテナーの上にボックス容器を段積みする状態を示す折り畳みコンテナーとボックス容器の斜視図である。
【符号の説明】
１・・・・・・・・・・・・底部
１ｄ・・・・・・・・・・・角部載置ブロック
２・・・・・・・・・・・・長側壁
２ｄ・・・・・・・・・・・係合枠
３・・・・・・・・・・・・短側壁
３ｃ・・・・・・・・・・・張出枠
４・・・・・・・・・・・・ロック解除部材
【図１】
0003677456.tif 000002
【図２】
0003677456.tif 000003
【図３】
0003677456.tif 000004
【図４】
0003677456.tif 000005
【図５】
0003677456.tif 000006
【図６】
0003677456.tif 000007
【図７】
0003677456.tif 000008
【図８】
0003677456.tif 000009
【図９】
0003677456.tif 000010
【図１０】
0003677456.tif 000011
【図１１】
0003677456.tif 000012
【図１２】
0003677456.tif 000013
【図１３】
0003677456.tif 000014
【図１４】
0003677456.tif 000015
【図１５】
0003677456.tif 000016
【図１６】
0003677456.tif 000017
【図１７】
0003677456.tif 000018